(57)【要約】【課題】安価であり、かつ低消費電力で、高品位な色再現可能な液晶表示装置等を提供する。【解決手段】液晶表示装置８１は、画像の基になる映像信号に応じて、蛍光管７２の光強度を調整し、さらに、映像信号に含まれる色映像信号を蛍光管７２の光強度にあわせて加工して、画像の色を変調させる。【選択図】図１
2010039248.tif 000002
【特許請求の範囲】
【請求項１】
画像を表示させる液晶表示パネルと、
互いに異なる色を発する線状光源を複数有し、混色により白色を生成して、上記液晶
表示パネルに照射するバックライトユニットと、
上記の画像の基となる映像信号を受信して、その映像信号における色映像信号から色
度を算出し、その色度に対応させて、一部の上記線状光源の光強度を残りの上記線状光
源の光強度よりも低下させるための光強度変調信号を取得し、さらに、上記光強度変調
信号に対応させて、上記色映像信号を加工している加工色映像信号を取得する表示制御
部と、
を含む液晶表示装置。
【請求項２】
上記光強度変調信号および上記加工色映像信号を記憶する記憶部が含まれており、
上記表示制御部は、上記光強度変調信号および上記加工色映像信号を生成により取得せずに、上記記憶部から取得する請求項１に記載の液晶表示装置。
【請求項３】
上記バックライトユニットには、赤色発光の線状光源、緑色発光の線状光源、および青色発光の線状光源が含まれる請求項１または２に記載の液晶表示装置。
【請求項４】
上記液晶表示パネルには、赤色カラーフィルタ、緑色カラーフィルタ、青色カラーフィルタが含まれており、
赤色カラーフィルタの分光特性と赤色発光の上記線状光源のスペクトル特性とが近似し、緑色カラーフィルタの分光特性と緑色発光の上記線状光源のスペクトル特性とが近似し、青色カラーフィルタの分光特性と上記線状青色発光の光源のスペクトル特性とが近似する請求項３に記載の液晶表示装置。
【請求項５】
上記液晶表示パネルと上記バックライトユニットとの間には、光を拡散させる拡散シートが介在し、
上記拡散シートと上記光源との間隔は、上記線状光源から発散して広がる光束幅と上記拡散シートの幅とを一致させる間隔である請求項１〜４のいずれか１項に記載の液晶表示装置。
【請求項６】
画像を表示させる液晶表示パネルと、
互いに異なる色を発する線状光源を複数有し、混色により白色を生成して、上記液晶
表示パネルに照射するバックライトユニットと、
を含む液晶表示装置での色変調方法にあって、
上記の画像の基となる映像信号を受信して、その映像信号における色映像信号から色
度を算出する色度算出工程と、
上記色度に対応させて、一部の上記線状光源の光強度を残りの上記線状光源の光強度
よりも低下させるための光強度変調信号を取得する光強度変調信号取得工程と、
上記光強度変調信号に対応させて、上記色映像信号を加工している加工色映像信号を
取得する加工初期映像信号取得工程と、
を含む液晶表示装置。
【請求項７】
画像を表示させる液晶表示パネルと、
互いに異なる色を発する線状光源を複数有し、混色により白色を生成して、上記液晶
表示パネルに照射するバックライトユニットと、
上記液晶表示パネルの画像および上記バックライトユニットの光量を制御する表示制
御部と、
を含む液晶表示装置の色変調プログラムにあって、
上記の画像の基となる映像信号を受信して、その映像信号における色映像信号から色
度を算出し、その色度に対応させて、一部の上記線状光源の光強度を残りの上記線状光
源の光強度よりも低下させるための光強度変調信号を取得し、さらに、上記光強度変調
信号に対応させて、上記色映像信号を加工している加工色映像信号を取得する表示制御
を、上記表示制御部に実行させる色変調プログラム。
【請求項８】
請求項７に記載の色変調プログラムを記録しているコンピュータ読み取り可能な記録媒体。
【発明の詳細な説明】
【技術分野】
【０００１】
本発明は、液晶表示装置に関するものである。また、液晶表示装置にて表示される画像の色を変調させる方法、その色変調のための色変調プログラム、さらには、その色変調プログラムを記録した記録媒体にも関係する。
【背景技術】
【０００２】
通常、非発光型の液晶表示パネルを搭載する液晶表示装置では、その液晶表示パネルに対して光を供給するバックライトユニットも搭載される。そして、バックライトユニットは、例えば図１０の断面図に示すように、白色発光の蛍光管１７２を複数本搭載し、白色光を拡散シート１７３を介して、液晶表示パネル１６１に到達させる。
【０００３】
このような液晶表示装置１８１において、液晶表示パネル１６１の画像の輝度を向上させようとすると、バックライトユニット１７１における白色発光の蛍光管１７２の光強度が上げられる。しかしながら、以下のような問題が生じる。すなわち、特定色を強調するような画像（特定色を比較的高い色純度にした画像）が表示されるべき場合であっても、蛍光管７２から発する光が白色なために、その特定色の光強度のみを上げることができないという問題である。
【０００４】
このような問題は、図１１のスペクトル図に示すように、蛍光管１７２が、赤色波長域、緑色波長域、青色波長域、の各々に比較的高い光強度を有するため、特定色の光強度を上げようとしても、他の色の光強度までも上がってしまうためである。
【０００５】
そこで、最近では、赤色発光光源、緑色発光光源、青色発光光源、を搭載するバックライトユニット１７１が開発されている。例えば、特許文献１のバックライトユニット１７１の場合、光源としてＬＥＤ（Light Emitting Diode）が採用される。つまり、赤色発光ＬＥＤ、緑色発光ＬＥＤ、青色発光ＬＥＤが、バックライトユニット１７１に採用される。
【０００６】
そして、これらの３色のＬＥＤのスペクトル図は、図１２のようになる（なお、図中のＲ、Ｇ、Ｂは、発光色の赤色、緑色、青色に対応する）。この図から明らかなように、各ＬＥＤは、特定波長を中心としており、他波長のエネルギーを含まない。そのため、このようなバックライトユニット１７１であれば、混色によって、高品位な白色光が生成される。また、このバックライトユニット１７１であれば、特定色を強調するような画像が表示される場合には、その特定色に合うＬＥＤの光強度を上げることもできる。
【特許文献１】特開２００８−１５３０１４号公報
【発明の開示】
【発明が解決しようとする課題】
【０００７】
しかしながら、液晶表示パネル１６１に表示される画像は、特定色を強調するものばかりではなく、特定色を抑制するものもあり得る。このように特定色が抑制される場合、バックライトユニット１７１における一部のＬＥＤの光強度を下げることも考えられる。
【０００８】
しかしながら、ＬＥＤの発光効率（ルーメン／ワット）は、おおよそ蛍光管１７２の発光効率の半分程度であることが多い。特に、緑色ＬＥＤの発光効率は、他色のＬＥＤの発光効率よりも低い。そのため、昨今の大画面かつ薄型の液晶表示装置１８１では、一部のＬＥＤの光強度を下げることは、画像全体との輝度低下をもたらし問題となる。
【０００９】
また、このような輝度低下を防止するために、多量のＬＥＤを搭載することも考えられる。しかしながら、ＬＥＤは、蛍光管１７２に比べて高価である。そのため、このような防止策が行われると、バックライトユニット１７１、ひいては液晶表示装置１８１のコストが増大する。また、このような液晶表示装置８１の消費電力も増大しやすい。
【００１０】
その上、３色のＬＥＤは、図１２に示しように、特定波長に対するエネルギーを十分に有するものの、他波長のエネルギーはほとんど有さない。そのため、一部のＬＥＤの光強度が下げられると、顕著に画像の色味が変わり、かえって目立ちかねない。
【００１１】
本発明は、上記の問題点を解決するためになされたものである。そして、その目的は、安価であり、かつ低消費電力で、高品位な色再現可能な液晶表示装置等を提供することにある。
【課題を解決するための手段】
【００１２】
液晶表示装置は、画像を表示させる液晶表示パネルと、互いに異なる色を発する線状光源を複数有し、混色により白色を生成して、液晶表示パネルに照射するバックライトユニットと、を含む。さらに、この液晶表示装置は、画像の基となる映像信号を受信して、その映像信号における色映像信号から色度を算出し、その色度に対応させて、一部の線状光源の光強度を残りの線状光源の光強度よりも低下させるための光強度変調信号を取得し、さらに、光強度変調信号に対応させて、色映像信号を加工している加工色映像信号を取得する表示制御部を含む。
【００１３】
このような液晶表示装置は、比較的安価な線状光源を含むのでコストダウンを図れる。その上、表示制御部は、映像信号に応じて、一部の線状光源を消灯させられる。そのため、消費電力の抑制を図れる。また、一部線状光源を消灯させたとしても、残りの線状光源にあわせて、色映像信号を加工しているため、画像の品位は保てる。
【００１４】
なお、光強度変調信号および加工色映像信号を記憶する記憶部が含まれており、表示制御部は、光強度変調信号および上記加工色映像信号を生成により取得せずに、記憶部から取得してもよい。
【００１５】
また、バックライトユニットには、白色光生成のために、赤色発光の線状光源、緑色発光の線状光源、および青色発光の線状光源が含まれると望ましい。
【００１６】
また、液晶表示パネルには、赤色カラーフィルタ、緑色カラーフィルタ、青色カラーフィルタが含まれており、赤色カラーフィルタの分光特性と赤色発光の線状光源のスペクトル特性とが近似し、緑色カラーフィルタの分光特性と緑色発光の線状光源のスペクトル特性とが近似し、青色カラーフィルタの分光特性と線状青色発光の光源のスペクトル特性とが近似すると望ましい。
【００１７】
また、液晶表示パネルとバックライトユニットとの間には、光を拡散させる拡散シートが介在し、拡散シートと光源との間隔は、線状光源から発散して広がる光束幅と拡散シートの幅とを一致させる間隔であると望ましい。
【００１８】
ところで、以上の液晶表示装置における色変調は、方法という視点から把握可能である。すなわち、画像を表示させる液晶表示パネルと、互いに異なる色を発する線状光源を複数有し、混色により白色を生成して、液晶表示パネルに照射するバックライトユニットと、を含む液晶表示装置での色変調方法として、把握可能である。
【００１９】
そして、その色変調方法では、画像の基となる映像信号を受信して、その映像信号における色映像信号から色度を算出する色度算出工程と、色度に対応させて、一部の線状光源の光強度を残りの線状光源の光強度よりも低下させるための光強度変調信号を取得する光強度変調信号取得工程と、光強度変調信号に対応させて、色映像信号を加工している加工色映像信号を取得する加工初期映像信号取得工程と、を含む。
【００２０】
また、以上の液晶表示装置における色変調は、プログラムとしても把握可能である。すなわち、画像を表示させる液晶表示パネルと、互いに異なる色を発する線状光源を複数有し、混色により白色を生成して、液晶表示パネルに照射するバックライトユニットと、液晶表示パネルの画像およびバックライトユニットの光量を制御する表示制御部と、を含む液晶表示装置の色変調プログラムとして、把握可能である。
【００２１】
そして、その色変調プログラムでは、画像の基となる映像信号を受信して、その映像信号における色映像信号から色度を算出し、その色度に対応させて、一部の線状光源の光強度を残りの線状光源の光強度よりも低下させるための光強度変調信号を取得し、さらに、光強度変調信号に対応させて、色映像信号を加工している加工色映像信号を取得する表示制御を、表示制御部に実行させる。
【００２２】
なお、以上の色変調プログラムを記録しているコンピュータ読み取り可能な記録媒体も本発明といえる。
【発明の効果】
【００２３】
本発明によれば、表示制御部が、一部の線状光源を消灯しつつも、残りの線状光源にあわせて、色映像信号を加工し、それに基づいて液晶表示パネルに画像を表示させるので、液晶表示装置は、画像の品位を保て、かつ消費電力も抑制できる。その上、比較的安価な線状光源を含むので、この液晶表示装置のコストはダウンする。
【発明を実施するための最良の形態】
【００２４】
［実施の形態１］
実施の一形態について、図面に基づいて説明すれば、以下の通りである。なお、便宜上、部材符号等を省略する場合もあるが、かかる場合、他の図面を参照するものとする。
【００２５】
図２は、バックライト方式の液晶表示装置８１の分解斜視図である。この図に示すように、液晶表示装置８１は、液晶表示パネル６１と、その液晶表示パネル６１に対して光を供給するバックライトユニット７１とを含む。
【００２６】
液晶表示パネル６１は、アクティブマトリックス方式を採用する。そのため、この液晶表示パネル６１では、ＴＦＴ（Thin Film Transistor）６５等のアクティブ素子（スイッチング素子）を取り付けられるアクティブマトリックス基板６２と、このアクティブマトリックス基板６３に対向する対向基板６４とで、液晶（不図示）を挟み込む。つまり、アクティブマトリックス基板６２および対向基板６７は、液晶を挟むための基板であり、透明なガラス等で形成される。
【００２７】
アクティブマトリックス基板６２には、対向基板６７に向く一面側に、ゲート信号線６３、ソース信号線６４、ＴＦＴ６５、および画素電極６６が形成される。
【００２８】
ゲート信号線６３はＴＦＴ６５のＯＮ／ＯＦＦを制御するゲート信号（走査信号）を流す線であり、ソース信号線６４は画像表示に要するソース信号（画像信号）を流す線である。そして、これら両線６３・６４は、各々、一列に並ぶ。詳説すると、アクティブマトリックス基板６２にて、一列に並ぶゲート信号線６３と一列に並ぶソース信号線６４とが交差し、これら両線６３・６４はマトリックス状に配置する。また、ゲート信号線６３とソース信号線６４とで区分けされる領域が、液晶表示パネル６１の画素に対応する。
【００２９】
なお、ゲート信号線６３に流れるゲート信号は、ゲートドライバー４１によって生成され、ソース信号線６４に流れるソースト信号は、ソースドライバー４２によって生成される（後述の図１参照）。
【００３０】
ＴＦＴ６５は、ゲート信号線６３とソース信号線６４との交点に位置し、液晶表示パネル６１における各画素のＯＮ/ＯＦＦを制御する（なお、ＴＦＴ６５は、便宜上、一部のみを図示）。つまり、このＴＦＴ６５は、ゲート信号線６３に流れるゲート信号によって、各画素のＯＮ/ＯＦＦを制御する。
【００３１】
画素電極６６は、ＴＦＴ６５のドレインにつながる電極で、各画素に対応して配置される（つまり、画素電極６６は、アクティブマトリックス基板６２にて、マトリックス状に敷き詰められる）。そして、画素電極６６は、後述のコモン電極６８とともに、液晶を挟み込む。
【００３２】
対向基板６７には、対向基板６７に向く一面側に、コモン電極６８とカラーフィルタ６９とが形成される。
【００３３】
コモン電極６８は、画素電極６６とは異なって、複数画素に対応して配置される（つまり、コモン電極６８は、対向基板６７にて、複数画素をまとめて覆う面積を有する）。そして、コモン電極６８は、画素電極６６とともに、液晶を挟む。その結果、液晶は、コモン電極６８と画素電極６６との間での電位差で制御される。
【００３４】
カラーフィルタ６９は、特定色の光を透過させるフィルタである。一例として、光の三原色である、赤色（Ｒ）、緑色（Ｇ）、および青色（Ｂ）のカラーフィルタ６９が挙げられる（なお、図２のＲ、Ｇ、Ｂは、カラーフィルタ６９の色を意味する）。また、これらのカラーフィルタ６９は、例えば、ストライプ状、デルタ状、正方状に配置される。そして、これらのカラーフィルタ６９は、図３に示すような分光特性（スペクトル特性）を有する。
【００３５】
以上のような液晶表示パネル６１では、ゲート信号線６３を介して与えられるゲート信号電圧でＴＦＴ６５がＯＮされる場合、そのＴＦＴ６５のソース・ドレインを介して、ソース信号線６４におけるソース信号電圧が画素電極６６に与えられる。そして、そのソース信号電圧に応じて、画素電極６６およびコモン電極６８に挟持される液晶部分に、すなわち画素にソース信号の電圧が書き込まれる。一方、ＴＦＴ６５がＯＦＦの場合、ソース信号電圧は液晶とコンデンサ（不図示）とによって保持されたままである。
【００３６】
次に、液晶表示パネル６１に対して光を供給するバックライトユニット７１について説明する。バックライトユニット７１は、蛍光管７２および拡散シート７３を含む（なお、蛍光管７２は箱状のハウジング７４に収容される）。
【００３７】
蛍光管７２は、光源で、例えば冷陰極放電管（Cold Cathode Fluorescent Lamp；ＣＣＦＬ）であり、複数本で搭載される（なお、図面では一部の蛍光管７２しか図示していない）。そして、これらの蛍光管７２には、赤色を発する蛍光管７２Ｒ、緑色を発する蛍光管７２Ｇ、青色を発する蛍光管７２Ｂが含まれる。
【００３８】
蛍光管（線状光源）７２の発する色は、その蛍光管７２におけるガラス管内部に塗布される蛍光体によって決定される。すなわち、蛍光管７２の両端の電極間に印加される高電圧で生じる紫外線は、赤色用のＲ蛍光体、緑色用のＧ蛍光体、および青色用のＢ蛍光体を励起させて、可視光域（赤色、緑色、青色）の光に変わる。そして、これら蛍光管７２Ｒ・７２Ｇ・７２Ｂのスペクトル図は、図４Ａ〜図４Ｃに示され、これら図４Ａ〜図４Ｃをまとめて図示したスペクトル図（ＭＢＸ）は図４Ｄとなる。
【００３９】
なお、蛍光管７２は、ＰＷＭ周期と呼ばれる短い周期内にて、点灯期間と消灯期間との時間比率（Ｄｕｔｙ）の変化に応じて光量を変えるパルス幅変調（Pulse Width Modulation；ＰＷＭ）方式を採用する。そして、この光量制御は、光源制御ユニット５１を介して行われる（後述の図１参照）。
【００４０】
拡散シート７３は、蛍光管７２を覆うように位置し、それら蛍光管７２からの光を混色させつつ拡散させて、液晶表示パネル６１全域に光をいきわたらせる。つまり、以上のようなバックライトユニット７１では、蛍光管７２からの光は、拡散シート７３によって、白色化された面状光（バックライト光）になって出射し、液晶表示パネル６１に到達する。
【００４１】
ここで、以上のような液晶表示パネル６１およびバックライトユニット７１を搭載する液晶表示装置８１に含まれる種々回路を、図１を用いて説明する。詳説すると、液晶表示装置８１に含まれる映像信号処理部（ＶＳＰ）２１、表示コントローラ（ＤＣＲ）１１、不揮発メモリ（ＮＶＭ）３１、ゲートドライバー４１、ソースドライバー４２、および光源制御ユニット（ＬＣＵ）５１について説明する。
【００４２】
映像信号処理部（ＶＳＰ）２１は、映像信号、例えば、テレビ放送のテレビ映像信号またはビデオのビデオ映像信号を処理することで、映像処理信号を生成する。映像処理信号は、例えば、色を示す色映像信号（赤色映像信号ＲＳ、緑色映像信号ＧＳ、および青色映像信号ＢＳ等）、および、色映像信号に関する同期信号（クロック信号ＣＬＫ、垂直同期信号ＶＳ、および水平同期信号ＨＳ等）である。
【００４３】
また、映像信号処理部２１は、色映像信号に対して、γ補正、コントラスト補正、色空間変換処理等の種々補正処理を行ってもよい。
【００４４】
表示コントローラ（ＤＣＲ）１１は、ゲートドライバー４１、ソースドライバー４２、および光源制御ユニット５１を介して、液晶表示パネル６１およびバックライトユニット７１の駆動を制御する。そして、そのような制御のために、表示コントローラ（表示制御部）１１は、タイミングコントローラ（ＴＣＲ）１２、フレームデータ監視部（ＦＤＭ）１３、およびデータ変換部（ＤＣＮ）１６を含む。
【００４５】
タイミングコントローラ１２は、映像信号処理部２１からの同期信号を受信して、種々のタイミング信号を生成する。例えば、タイミングコントローラ１２は、ゲートドライバー４１、ソースドライバー４２、および光源制御ユニット５１に対して、種々のタイミング信号を送信する。
【００４６】
詳説すると、タイミングコントローラ１２は、ゲートクロック信号（ＧＣＫ）およびゲートスタートパルス（ＧＳＰ）等のタイミング信号を生成して、ゲートドライバー４１に送信するとともに、ソースクロック信号（ＳＣＫ）およびソーススタートパルス（ＳＳＰ）等のタイミング信号を生成して、ソースドライバー４２に送信する。また、タイミングコントローラ１２は、液晶表示パネル６１の駆動に、蛍光管７２の駆動（点灯／消灯）を連動させる点灯タイミング信号を生成して、光源制御ユニット５１に送信する。
【００４７】
フレームデータ監視部（ＦＤＭ）１３は、フレームメモリ（ＦＭＹ）１４および色度分布算出部（ＣＤＣ）１５を含む。
【００４８】
フレームメモリ１４は、映像信号処理部２１から送信される１画面分（１フレーム分）の色映像信号を保存する。色度分布算出部１５は、フレームメモリ１４から送信される１画面分の色映像信号から色度を算出し、さらに、その色度から色度分布データを算出する。そして、色度分布算出部１５は、色度分布データをデータ変換部１６に送信する。
【００４９】
色度分布データの一例としては、図５に示すような、ＣＩＥ（Commission Internationale de l'Eclairage）により定められたＣＩＥ Ｙｘｙ系の色度図で示される色度（ｘ、ｙ）が挙げられる。なお、図５での三角形状のグラフ線は、蛍光管７２Ｒ、７２Ｇ、７２Ｂの混色によって得られる色度分布を示す（なお、このグラフ線には、便宜上、ＲＧＢが付される）。
【００５０】
また、図５でのＲＥＤ、ＧＲＥＥＮ、ＢＬＵＥは、色度図におけるおおまかな色を示す。また、三角状のグラフ線で形成される色三角エリア（色度分布）の頂点の色度、すなわち、ＲＥＤ付近の頂点の色度、ＧＲＥＥＮ付近の頂点の色度、ＢＬＵＥ付近の頂点の色度は、便宜上、（ｘｒ，ｙｒ）、（ｘｇ，ｙｇ）、（ｘｂ，ｙｂ）と示す。
【００５１】
データ変換部（ＤＣＮ）１６は、フレームデータ監視部１３の色度分布算出部１５から送信される色度分布データを受信する。そして、データ変換部１６は、その色度分布データを再現するために要する蛍光管７２（７２Ｒ、７２Ｇ、７２Ｂ）の光強度を決定し、その旨を示す光強度変調信号を光源制御ユニット５１へ送信する（詳細は後述）。
【００５２】
また、データ変換部１６は、色度分布データを参照して、ソース信号の基になる加工色映像信号（加工赤色信号Ｒ’Ｓ、加工緑色信号Ｇ’Ｓ、加工青色信号Ｂ’Ｓ）をソースドライバー４２に送信する（詳細は後述）。
【００５３】
不揮発メモリ（ＮＶＭ）３１は、データ変換部１６の送信する光強度変調信号および加工色映像信号を記憶する。すなわち、光強度変調信号および加工色映像信号はあらかじめ算出されており、不揮発メモリ（記憶部）３１は、光強度変調信号を記憶する光強度変調信号メモリ（ＬＰＭ）３２と、加工色映像信号を記憶する加工色映像信号メモリ（ＰＳＭ）３３とを含む。
【００５４】
ゲートドライバー４１は、タイミングコントローラ１２から送信されるゲートクロック信号（ＧＣＫ）およびゲートスタートパルス（ＧＳＰ）等の各種タイミング信号に基づいて、ゲート信号を生成し、ゲート信号線６３に送信する。
【００５５】
ソースドライバー４２は、タイミングコントローラ１２から送信されるソースクロック信号（ＳＣＫ）およびソーススタートパルス（ＳＳＰ）等の各種タイミング信号に基づき、データ変換部１６から送信されてくる加工色映像信号（Ｒ’Ｓ、Ｇ’Ｓ、Ｂ’Ｓ）をサンプリングして、ソース信号を生成し、ソース信号線６４に送信する。
【００５６】
すなわち、液晶表示パネル６１に画像が表示される場合、ゲートドライバー４１およびソースドライバー４２は、以下の通りに動作する（なお、コモン電極６８には、表示コントローラ（ＤＣＲ）１１に含まれる不図示のコモン電極電圧制御部によって、コモン電圧が印加されている）。
【００５７】
まず、ゲートドライバー４１が各ゲート信号線６３にゲート信号を送信することで、各画素のＴＦＴ６５を順次ＯＮさせる。そして、ソースドライバー４２は、ゲートドライバー４１による各ゲート信号線６３へのゲート信号送信のタイミング合わせて、ソース信号線６４にソース信号を送信する。すると、画素電極６６およびコモン電極６８における電位差がソース信号に応じて変化し、液晶が変調する。その結果、バックライトユニット７１からの光量が、液晶を透過することで変化し、ソース信号に対応する画像が、液晶表示パネル６１に表示される。
【００５８】
光源制御ユニット（ＬＣＵ）５１は、蛍光管７２を制御する回路であり、調光パルス発生部（ＡＬＰ）５２、パルス幅変調ユニット（ＰＷＭＵ）５３、およびインバータユニット（ＩＶＴＵ）５５を含む。
【００５９】
調光パルス発生部５２は、基準発振クロックを生成する基準発信器（不図示）を含み、そのクロックに基づいて調光パルス信号を生成する。
【００６０】
パルス幅変調ユニット５３は、蛍光管７２毎に対応して、パルス幅変調部（ＰＷＭ）５４を複数個含む。そして、パルス幅変調部５４は、調光パルス発生部５２からの調光パルスを受信し、その調光パルスのパルス幅および周期を変調させる（なお、このように変調された調光パルス信号をＰＷＭ信号とも称する）。
【００６１】
インバータユニット５５は、蛍光管７２毎、ひいてはパルス幅変調部５４毎に対応して、複数個のインバータ（ＩＶＴ）５６を含む。そして、インバータ５６は、パルス幅変調部５４によって生成されたＰＷＭ信号に基づいて、電源（不図示）から供給された電流を調整して、蛍光管７２の発光を制御する発光信号を生成し、蛍光管７２に送信する。その結果、蛍光管７２の発光は、光源制御ユニット５１によって制御される。
【００６２】
ここで、以上のような種々回路を搭載する液晶表示装置８１での蛍光管７２の発光制御について詳説する。
【００６３】
まず、蛍光管７２Ｒ、７２Ｇ、７２Ｂの色度について説明する。図５に示される色度図での色度分布（色三角エリア）は、蛍光管７２Ｒ、７２Ｇ、７２Ｂが同じ光強度で点灯した場合に得られる。すると、蛍光管７２Ｒ、７２Ｇ、７２Ｂの全種類が発光せず、２種類毎に発光すると、当然ながら、色度分布は図５とは異なる。図６〜図８の色度図は、２種類毎に蛍光管７２が発光した場合の色度分布を示す。
【００６４】
具体的には、図６は、蛍光管７２Ｒが発光せず、蛍光管７２Ｇと蛍光管７２Ｂとが同じ光強度で点灯した場合の色度図である。そのため、この図６では、このグラフ線には、便宜上、[-Ｒ]ＧＢが付される（なお、色度図中のグラフ線は破線、ドットは四角とする）。また、色三角エリアの頂点の色度、すなわち、ＲＥＤ付近の頂点の色度、ＧＲＥＥＮ付近の頂点の色度、ＢＬＵＥ付近の頂点の色度は、便宜上、（ｘ[-Ｒ]ｒ，ｙ[-Ｒ]ｒ）、（ｘ[-Ｒ]ｇ，ｙ[-Ｒ]ｇ）、（ｘ[-Ｒ]ｂ，ｙ[-Ｒ]ｂ）と示す。
【００６５】
図７は、蛍光管７２Ｇが発光せず、蛍光管７２Ｒと蛍光管７２Ｂとが同じ光強度で点灯した場合の色度図である。そのため、この図７では、このグラフ線には、便宜上、Ｒ[-Ｇ]Ｂが付される（なお、色度図中のグラフ線は一点鎖線、ドットは三角とする）。また、色三角エリアの頂点の色度、すなわち、ＲＥＤ付近の頂点の色度、ＧＲＥＥＮ付近の頂点の色度、ＢＬＵＥ付近の頂点の色度は、便宜上、（ｘ[-Ｇ]ｒ，ｙ[-Ｇ]ｒ）、（ｘ[-Ｇ]ｇ，ｙ[-Ｇ]ｇ）、（ｘ[-Ｇ]ｂ，ｙ[-Ｇ]ｂ）と示す。
【００６６】
図８は、蛍光管７２Ｂが発光せず、蛍光管７２Ｒと蛍光管７２Ｇとが同じ光強度で点灯した場合の色度図である。そのため、この図８では、このグラフ線には、便宜上、ＲＧ[-Ｂ]が付される（なお、色度図中のグラフ線は二点鎖線、ドットはひし形とする）。また、色三角エリアの頂点の色度、すなわち、ＲＥＤ付近の頂点の色度、ＧＲＥＥＮ付近の頂点の色度、ＢＬＵＥ付近の頂点の色度は、便宜上、（ｘ[-Ｂ]ｒ，ｙ[-Ｂ]ｒ）、（ｘ[-Ｂ]ｇ，ｙ[-Ｂ]ｇ）、（ｘ[-Ｂ]ｂ，ｙ[-Ｂ]ｂ）と示す。
【００６７】
なお、図６〜図８における色三角エリアの頂点は、以下のようにも表現できる。
ｘ[-Ｒ]ｒ、ｘ[-Ｇ]ｒ、ｘ[-Ｂ]ｒを総称する場合、ｘｒ’とする。
ｘ[-Ｒ]ｇ、ｘ[-Ｇ]ｇ、ｘ[-Ｂ]ｇを総称する場合、ｘｇ’とする。
ｘ[-Ｒ]ｂ、ｘ[-Ｇ]ｂ、ｘ[-Ｂ]ｂを総称する場合、ｘｂ’とする。
ｙ[-Ｒ]ｒ、ｙ[-Ｇ]ｒ、ｙ[-Ｂ]ｒを総称する場合、ｙｒ’とする。
ｙ[-Ｒ]ｇ、ｙ[-Ｇ]ｇ、ｙ[-Ｂ]ｇを総称する場合、ｙｇ’とする。
ｙ[-Ｒ]ｂ、ｙ[-Ｇ]ｂ、ｙ[-Ｂ]ｂを総称する場合、ｙｂ’とする。
【００６８】
そして、図９は、図５〜図８をまとめて図示した色度図になる。この図９から以下のことがいえる。
【００６９】
すなわち、蛍光管７２Ｒ、７２Ｇ、７２Ｂは、図４Ａ、図４Ｂ、図４Ｃに示すようなブロードしたスペクトル分布を有する。そのために、全種類の蛍光官７２Ｒ、７２Ｇ、７２Ｂが発光していなくても、蛍光官７２Ｇ、７２Ｂが発光した場合（蛍光管７２Ｒの発光輝度が比較的低い場合）の色度分布、蛍光官７２Ｒ、７２Ｂが発光した場合（蛍光管７２Ｇの発光輝度が比較的低い場合）の色度分布、蛍光官７２Ｒ、７２Ｇが発光した場合（蛍光管７２Ｂの発光輝度が比較的低い場合）の色度分布、であっても、全ての蛍光官７２Ｒ、７２Ｇ、７２Ｂが発光する場合の色度分布と類似する色度分布が生じる。
【００７０】
すると、映像信号処理部（ＶＳＰ）で生成される色映像信号（ＲＳ、ＧＳ、ＢＳ）によっては、全種類の蛍光管７２Ｒ、７２Ｇ、７２Ｂが発光しなくても対応可能になる。すなわち、色映像信号（ＲＳ、ＧＳ、ＢＳ）に基づいて算出される色度分布が、比較的狭い色度分布であれば、その狭い色度分布を再現できるだけの蛍光管７２が発光すればよい（例えば、色映像信号ＢＳの信号強度が極めて低ければ、蛍光管７２Ｂの光は少量、若しくは消灯されていてもよい）。
【００７１】
ただし、全ての蛍光管７２が発光しないために（一部の蛍光管７２発光輝度が比較的低くなるために）、それを考慮して、色映像信号（ＲＳ、ＧＳ、ＢＳ）は加工され、加工色映像信号（Ｒ’Ｓ、Ｇ’Ｓ、Ｂ’Ｓ）になる。そして、このような加工は、以下の関係式を満たせば望ましいとされる｛なお、Ｙｘｙ色度図でのＹは、輝度（明度）である｝。
【００７２】
※関係式（１）
（RS[i]×xr＋GS[i]×xg＋BS[i]×xb）／（RS[i]＋GS[i]＋BS[i]）
＝（R’S[i]×xr’＋G’S[i]×xg’＋B’S[i]×xb’）／（R’S[i]＋G’S[i]＋B’S[i]）
※関係式（２）
（RS[i]×yr＋GS[i]×yg＋BS[i]×yb）／（RS[i]＋GS[i]＋BS[i]）
＝（R’S[i]×yr’＋G’S[i]×yg’＋B’S[i]×yb’）／（R’S[i]＋G’S[i]＋B’S[i]）
※関係色（３）
（RS[i]×Yr＋GS[i]×Yg＋BS[i]×Yb）＝（R’S[i]×Yr’＋G’S[i]×Yg’＋B’S[i]×Yb’）
【００７３】
なお、
RS[i]   ：赤色映像信号ＲＳの信号強度
GS[i]   ：緑色映像信号ＧＳの信号強度
BS[i]   ：青色映像信号ＢＳの信号強度
xr     ：Ｙｘｙ色度図での赤色映像信号ＲＳにおけるｘの値
xg     ：Ｙｘｙ色度図での緑色映像信号ＧＳにおけるｘの値
xb     ：Ｙｘｙ色度図での青色映像信号ＢＳにおけるｘの値
yr     ：Ｙｘｙ色度図での赤色映像信号ＲＳにおけるｙの値
yg     ：Ｙｘｙ色度図での緑色映像信号ＧＳにおけるｙの値
yb     ：Ｙｘｙ色度図での青色映像信号ＢＳにおけるｙの値
Yr     ：Ｙｘｙ色度図での赤色映像信号ＲＳにおけるＹの値
Yg     ：Ｙｘｙ色度図での緑色映像信号ＧＳにおけるＹの値
Yb     ：Ｙｘｙ色度図での青色映像信号ＢＳにおけるＹの値
R’S[i]  ：加工赤色映像信号Ｒ’Ｓの信号強度
G’S[i]  ：加工緑色映像信号Ｇ’Ｓの信号強度
B’S[i]  ：加工青色映像信号Ｂ’Ｓの信号強度
xr’     ：Ｙｘｙ色度図での加工赤色映像信号Ｒ’Ｓにおけるｘの値
xg’     ：Ｙｘｙ色度図での加工緑色映像信号Ｇ’Ｓにおけるｘの値
xb’     ：Ｙｘｙ色度図での加工青色映像信号Ｂ’Ｓにおけるｘの値
yr’     ：Ｙｘｙ色度図での加工赤色映像信号Ｒ’Ｓにおけるｙの値
yg’     ：Ｙｘｙ色度図での加工緑色映像信号Ｇ’Ｓにおけるｙの値
yb’     ：Ｙｘｙ色度図での加工青色映像信号Ｂ’Ｓにおけるｙの値
Yr’     ：Ｙｘｙ色度図での加工赤色映像信号Ｒ’ＳにおけるＹの値
Yg’     ：Ｙｘｙ色度図での加工緑色映像信号Ｇ’ＳにおけるＹの値
Yb’     ：Ｙｘｙ色度図での加工青色映像信号Ｂ’ＳにおけるＹの値
である。
【００７４】
ただし、実際には、関係色（１）〜（３）が満たされない場合も生じる。その理由は、例えば、R’S[i]、G’S[i]、B’S[i]がマイナスの値を示したり、フル階調を超える事態が生じたりするためである。また、このような関係式（１）〜（３）に基づく計算ケースは膨大にある。そのため、加工色映像信号（Ｒ’Ｓ、Ｇ’Ｓ、Ｂ’Ｓ）の信号強度（R’S[i]、G’S[i]、B’S[i]）は、あらかじめ算出されて不揮発メモリ３１に記憶されている。
【００７５】
また、不揮発メモリ３１もメモリ容量が限定されているので、大容量の光強度信号のデータを光強度信号メモリ３２に記憶させづらい。そこで、例えば、蛍光管７２Ｒ、７２Ｇ、７２Ｂ毎で、光強度大、光強度小、の２段階に設定し、各蛍光管７２Ｒ、７２Ｇ、７２Ｂの組み合わせで導かれる８パターン（２３パターン）の光強度変調信号のパターンデータを記憶するとよい｛ただし、これに限定されず、光強度大、光強度中、光強度小、の３段階から導かれる２７パターン（３３パターン）の光強度変調信号のパターンデータなども記憶されてもよい｝。
【００７６】
以上を踏まえると、液晶表示装置８１は、画像の基になる映像信号に応じて、蛍光管７２の光強度を調整し（蛍光管７２を発光制御し）、さらに、映像信号に含まれる色映像信号を蛍光管７２の光強度にあわせて加工して、画像の色を変調させる。そこで、そのような色変調の過程について、図１を用いて詳説する。
【００７７】
まず、液晶表示装置８１における映像信号処理部２１が、映像信号を受信する。そして、映像信号処理部２１は、映像色信号を処理して、色映像信号と、その色映像信号に関する同期信号とを生成する［映像信号処理工程］。さらに、映像信号処理部２１は、色映像信号および同期信号を表示コントローラ１１に送信する。
【００７８】
表示コントローラ１１は、映像信号処理部２１から送信される色映像信号および同期信号を受信する。詳説すると、表示コントローラ１１におけるタイミングコントローラ１２が同期信号を受信し、フレームデータ監視部１３が色映像信号を受信する。
【００７９】
色映像信号は、ます、フレームデータ監視部１３のフレームメモリ１４に受信され、そのフレームメモリ１４は、タイミングコントローラ１２から送信される１フレームの最初と最後とを示すタイミング信号に基づいて、１フレーム分の色映像信号を保存する［１フレーム色映像信号保存工程］。そして、この１フレーム分の色映像信号は、フレームメモリ１４によって、色度分布算出部１５に送信される。
【００８０】
色度分布算出部１５は、受信した１フレーム分の色映像信号から色度分布データを算出する。すなわち、１フレーム分を構成する各色映像信号から色度を算出し、その色度のデータをマッピングすることで、色度分布データを算出する［色度算出工程］。そして、色度分布算出部１５は、算出された色度分布データをデータ変換部１６に送信する。
【００８１】
データ変換部１６は、受信した色度分布データの再現に要する蛍光管７２の光強度変調信号を取得する。詳説すると、データ変換部１６は、不揮発メモリ３１の光強度信号メモリ３２に記憶されている光強度変調信号のパターンデータを取得する。
【００８２】
このパターンデータは、発光する蛍光管７２がどのような色度分布を生じさせるかを示したデータである。例えば、蛍光管７２Ｒ、７２Ｇ、７２Ｂ毎で、光強度大、光強度小、の２段階に設定し、各蛍光管７２Ｒ、７２Ｇ、７２Ｂの組み合わせで導かれる８パターン（２３パターン）の光強度信号のパターンデータが記録されている場合、データ変換部１６は、８パターンのパターンデータから、受信した色度分布データを再現可能なパターンデータを１つ取得する［光強度変調信号取得工程］。
【００８３】
また、データ変換部１６は、取得したパターンデータに対応した加工色映像信号を取得する。加工色映像信号は、詳説すると、以下の通りである。すなわち、決定されたパターンデータに基づく蛍光管７２の光がカラーフィルタ６９を通じて出射した場合に、色映像信号で想定した色になるために加工された色映像信号である。
【００８４】
要は、全種類の蛍光管７２が発光するようなパターンデータであると、全種類の蛍光管７２の発光を前提にした色映像信号は、一部種類の蛍光管７２の光で、所望する色を再現できない。そこで、所望する色に極力近い色を再現するために（所望しない画像の色を所望の画像の色に変調させるために）、一部種類の蛍光管７２の発光を前提にした信号が必要になる。その信号が色映像信号を加工した加工色映像信号である。
【００８５】
なお、この加工色映像信号は、階調豊かな画像表示のために、ゼロ階調からフル階調の範囲における各階調に合わせて加工されるとよい。しかしながら、その加工の負担は極めて重い。そこで、加工色映像信号は、あらかじめ計算されて加工色映像信号メモリ３３に記憶されている。そのため、データ変換部１６は、取得したパターンデータに応じて、加工色映像信号メモリ３３に記憶されている加工色映像信号を取得する。すなわち、データ変換部１６は、パターンデータ（光強度変調信号）に対応させて、画像の色変調に要する加工色映像信号を取得する［加工色映像信号取得工程］。
【００８６】
以上のようにして、データ変換部１６は、パターンデータおよび加工色映像信号を取得する。総括すると、表示コントローラ１１は、画像の基となる映像信号を受信して、その映像信号における色映像信号から色度を算出し、その色度に対応させて、一部の蛍光管７２の光強度を残りの蛍光管７２の光強度よりも低下させるための光強度変調信号（パターンデータ）を取得する。さらに、表示コントローラ１１は、パターンデータに対応させて、画像の色変調に要する加工色映像信号（色映像信号を加工した信号）を取得する。
【００８７】
そして、表示コントローラ１１（詳説するとデータ変換部１６）は、パターンデータを光源制御ユニット５１へ送信する一方、加工色映像信号をソースドライバー４２へ送信する。
【００８８】
光源制御ユニット５１は、パターンデータに加えて、タイミングコントローラ１２から点灯タイミング信号も受信する。詳説すると、光源制御ユニット５１のパルス幅変調ユニット５３が、パターンデータと点灯タイミング信号を受信し、さらに、調光パルス発生５２から調光パルス信号も受信する。そして、パルス幅変調ユニット５３は、調光パルス信号を、パターンデータと点灯タイミング信号とに基づいて変調させ、ＰＷＭ信号とする［ＰＷＭ信号生成工程］。
【００８９】
そして、パルス幅変調ユニット５３は、ＰＷＭ信号をインバータユニット５５に送信し、インバータユニット５５は、ＰＷＭ信号に基づいて、電源（不図示）から供給された電流を調整して、蛍光管７２の発光を制御する発光信号を生成する［発光信号精製工程］。そして、蛍光管７２は、この発光信号に基づいて発光する。
【００９０】
一方、ソースドライバー４２は、加工色映像信号に加えて、タイミングコントローラ１２からの各種タイミング信号も受信する。そして、ソースドライバー４２は、その各種タイミング信号に基づき、データ変換部１６から送信されてくる加工色映像信号をサンプリングして、ソース信号を生成する。その後、ソースドライバー４２は、ゲートドライバー４１による各ゲート信号線６３へのゲート信号送信のタイミング合わせて、ソース信号線にソース信号を送信する。
【００９１】
その結果、ＴＦＴ６５のドレインにつながることでソース信号を受信した画素電極６６からコモン電極６８までの間における電位差が、ソース信号に応じて変化することで、液晶が変調する。よって、そのソース信号に対応する画像が、液晶表示パネル６１に表示される。
【００９２】
以上のような過程を経る液晶表示装置８１では、表示コントローラ１１が、映像信号に応じて、全種の蛍光管７２を同じ光強度で発光させないこともあり得る。例えば、映像信号によっては、蛍光管７２Ｇ、７２Ｂが点灯し、蛍光管７２Ｒは消灯することもある。このような場合、全種類の蛍光管７２Ｒ、７２Ｇ、７２Ｂが点灯する場合に比べて、電力消費が抑制される。つまり、この液晶表示装置８１では、低消費電力化が達成される。
【００９３】
なお、このような蛍光管７２の発光制御によっても、所望の色再現がほぼ可能であるのは、蛍光管７２がＬＥＤとは異なって、比較的ブロードなスペクトル分布を有し、さらに発光効率も高いためである。その上、蛍光管７２はＬＥＤに比べて安価であるので、バックライトユニット７１、ひいては液晶表示装置８１のコストは安くすむ。
【００９４】
［その他の実施の形態］
なお、本発明は上記の実施の形態に限定されず、本発明の趣旨を逸脱しない範囲で、種々の変更が可能である。
【００９５】
例えば、以上の液晶表示装置８１では、表示コントローラ１１のデータ変換部１６は、不揮発メモリ３１から、蛍光管７２の光強度変調信号のデータ（パターンデータ）および加工色映像信号を取得していた。しかし、これに限定されるものではない。例えば、データ変換部１６が、色映像信号を取得したときに、その色映像信号に対応するパターンデータを生成することで取得し、さらに、そのパターンデータに対応して、色映像信号を加工して加工色映像信号を取得してもよい。
【００９６】
なお、バックライトユニット７１には、赤色発光の蛍光管７２Ｒ、緑色発光の蛍光管７２Ｇ、および青色発光の蛍光管７２Ｂが搭載されていた。しかし、発光色はこれに限定されるものではい。要は、混色により白色を生成可能な発光色であれば、特に限定されるものではない。
【００９７】
ところで、液晶表示パネル６１には、赤色カラーフィルタ６９、緑色カラーフィルタ６９、青色カラーフィルタ６９が含まれる。そして、バックライトユニット７１からの光は、これらカラーフィルタ６９を透過する。そこで、赤色カラーフィルタ６９の分光特性と赤色発光の蛍光管７２Ｒのスペクトル特性とが近似し、緑色カラーフィルタ６９の分光特性と緑色発光の蛍光管７２Ｇのスペクトル特性とが近似し、青色カラーフィルタ６９の分光特性と青色発光の蛍光管７２Ｂのスペクトル特性とが近似すると望ましい。
【００９８】
このようになっていると、蛍光管７２Ｒからの赤色光が赤色カラーフィルタ６９Ｒを透過する場合、蛍光管７２Ｇからの緑色光が緑色カラーフィルタ６９Ｒを透過する場合、蛍光管７２Ｂからの青色光が青色カラーフィルタ６９Ｒを透過する場合、カラーフィルタ６９Ｒ、６９Ｇ、６９Ｂに吸収される光量は少ない。その上、蛍光管７２Ｒ、７２Ｇ、７２Ｂからの光と、それらの光がカラーフィルタ６９Ｒ、６９Ｇ、６９Ｂを透過した後の光とでは、色度上の差異は比較的小さい。したがって、液晶表示装置８１における色変調が比較的容易になる。
【００９９】
なお、カラーフィルタ６９Ｒ、６９Ｇ、６９Ｂの分光特性（透過スペクトル特性）と、蛍光管７２Ｒ、７２Ｇ、７２Ｂのスペクトル特性とを近似させる一例としては、蛍光管７２のガラス管に蛍光体を塗布した上に、そのガラス菅に、カラーフィルタ６９の分光特性に近似する着色粒子を含ませることが挙げられる（要は、蛍光体を塗布された色付きガラス管が使用されるとよい）。
【０１００】
また、以上の液晶表示装置８１では、液晶表示パネル６１とバックライトユニット７１との間には、光を拡散させる拡散シート７３が介在する。そして、拡散シート７３と蛍光管７２との間隔は、極力広いほうが望ましい。詳説すると、拡散シート７３と蛍光管７２との間隔は、蛍光管７２から発散して広がる光束幅と拡散シート７３の幅とを一致させる間隔であるとよい。
【０１０１】
このようになっていると、蛍光管７２から発散する比較的広い光束（例えば、ＬＥＤよりも広い光束）が拡散シート７３全域に渡って入射し、光が拡散シート７３にて均一に拡散される。そのため、拡散シート７３から出射する光が比較的高い均一性を有する。
【０１０２】
その上、このような液晶表示装置８１であれば、蛍光管７２の本数が削減することにもなり、バックライトユニット７１、ひいては液晶表示装置８１のコストも抑制される（なお、このような液晶表示装置８１は、説明してきた蛍光管７２の発光制御にかかわらず、蛍光管７２の本数を削減しているともいえる）。
【０１０３】
ところで、以上で説明した液晶表示装置８１における表示制御（色変調）は、制御プログラムで実現される。そのため、液晶表示装置８１は、例えば、種々機能を実現する制御プログラムの命令を実行するＣＰＵ（central processing unit）、制御プログラムを格納したＲＯＭ（read only memory）、制御プログラムを展開するＲＡＭ（random access memory）、制御プログラムおよび各種データを格納するメモリ等の記憶装置（記録媒体）を含む。
【０１０４】
また、制御プログラムは、コンピュータに読み取り可能な記録媒体に記録されてもよい。なぜなら、記録媒体に記録されたプログラムは、持ち運び自在になるためである。
【０１０５】
なお、この記録媒体としては、例えば分離される磁気テープやカセットテープ等のテープ系、磁気ディスクやＣＤ−ＲＯＭ等の光ディスクのディスク系、ＩＣカード（メモリカードを含む）や光カード等のカード系、あるいはフラッシュメモリ等による半導体メモリ系が挙げられる。
【０１０６】
また、液晶表示装置８１は、通信ネットワークからの通信で制御プログラムを取得してもよい。なお、通信ネットワークとしては、有線無線を問わず、インターネット、赤外線通等が挙げられる。
【図面の簡単な説明】
【０１０７】
【図１】は、液晶表示装置に含まれる種々回路を示すブロック図である。
【図２】は、液晶表示装置の分解斜視図である。
【図３】は、赤色カラーフィルタ、緑色カラーフィルタ、青色カラーフィルタの分光特性図である。
【図４】では、（Ａ）は赤色発光の蛍光管のスペクトル図であり、（Ｂ）は緑色発光の蛍光管のスペクトル図であり、（Ｃ）は青色発光の蛍光管のスペクトル図であり、（Ｄ）は、（Ａ）〜（Ｃ）をまとめて図示したスペクトル図である。
【図５】は、ＣＩＥ Ｙｘｙ系の色度図である。
【図６】は、ＣＩＥ Ｙｘｙ系にて、緑色光と、青色光とによって生じる色度分布を示す色度図である。
【図７】は、ＣＩＥ Ｙｘｙ系にて、赤色光と、青色光とによって生じる色度分布を示す色度図である。
【図８】は、ＣＩＥ Ｙｘｙ系にて、赤色光と、緑色光とによって生じる色度分布を示す色度図である。
【図９】は、図５〜図８をまとめて図示したでＣＩＥ Ｙｘｙ系の色度図である。
【図１０】は、従来の液晶表示装置の断面図である。
【図１１】は、白色光を発する蛍光管のスペクトル図である。
【図１２】は、赤色発光のＬＥＤ、緑色発光のＬＥＤ、および青色発光のＬＥＤのスペクトル図である。
【符号の説明】
【０１０８】
１１    表示コントローラ（表示制御部）
１２    タイミングコントローラ
１３    フレームデータ監視部
１４    フレームメモリ
１５    色度分布算出部
１６    データ変換部
２１    映像信号処理部
３１    不揮発メモリ（記憶部）
３２    光強度信号メモリ
３３    加工色映像信号メモリ
４１    ゲートドライバー
４２    ソースドライバー
５１    光源制御ユニット
５２    調光パルス発生部
５３    パルス幅変調ユニット
５４    パルス幅変調部
５５    インバータユニット
５６    インバータ
６１    液晶表示パネル
６２    アクティブマトリックス基板
６３    ゲート信号線
６４    ソース信号線
６５    ＴＦＴ
６６    画素電極
６７    対向基板
６８    コモン電極
６９    カラーフィルタ
７１    バックライトユニット
７２    蛍光管（線状光源）
７３    拡散シート
７４    ハウジング
８１    液晶表示装置
【図１】
2010039248.tif 000003
【図２】
2010039248.tif 000004
【図３】
2010039248.tif 000005
【図４】
2010039248.tif 000006
【図５】
2010039248.tif 000007
【図６】
2010039248.tif 000008
【図７】
2010039248.tif 000009
【図８】
2010039248.tif 000010
【図９】
2010039248.tif 000011
【図１０】
2010039248.tif 000012
【図１１】
2010039248.tif 000013
【図１２】
2010039248.tif 000014